(57)【特許請求の範囲】
【請求項１】
所定面に設置可能な支持部材と、
一端が前記支持部材に支持され、表面に第１の図柄を有する平面状の遮蔽材本体と、
前記遮蔽材本体の他端に、前記第１の図柄とデザイン上の連続性を有するように設けられた立体構造物と
を具備し、
前記第１の図柄は、動物柄または乗り物柄であり、
前記立体構造物は、前記動物柄で表現された動物の一部または前記乗り物柄で表現された乗り物の一部を模した形状及び模様を有する
遮蔽材。
【請求項２】
請求項１に記載の遮蔽材であって、
前記立体構造物は長尺状である
遮蔽材。
【請求項３】
請求項１に記載の遮蔽材であって、
前記遮蔽材本体は前記支持部材から昇降可能に支持され、
前記立体構造物は、前記遮蔽材本体を昇降させることが可能な操作具である
遮蔽材。
【請求項４】
請求項３に記載の遮蔽材であって、
前記遮蔽材本体は、前記支持部材によって巻取り及び巻解き可能であって、前記他端にウエイトトバーを有するスクリーンであり、
前記立体構造物は、前記ウエイトバーから吊下される
遮蔽材。
【請求項５】
請求項４に記載の遮蔽材であって、
前記立体構造物は、前記第１の図柄のうち前記他端側に描かれた一部と共に、前記第１の図柄で表現される物の一要素を構成し、
前記遮蔽材本体が前記支持部材に全て巻き取られた場合に、前記一部を含む前記第１の図柄は視認不可能となり、前記立体構造物は前記ウエイトバーを介して前記支持部材で係止される
遮蔽材。
【請求項６】
請求項４に記載の遮蔽材であって、
前記立体構造物は、前記ウエイトバーを被覆するように当該ウエイトバー係合可能な可撓性の係合部を有する
遮蔽材。
【請求項７】
請求項４に記載の遮蔽材であって、
前記ウエイトバーは、前記立体構造物と前記デザイン上の連続性を有する前記第１の図柄の一部を有する
遮蔽材。
【請求項８】
請求項１に記載の遮蔽材であって、
前記遮蔽材本体は、前記支持部材によって巻取り及び巻解き可能であり、
当該遮蔽材は、前記支持部材を覆うように設けられ、前記遮蔽材本体が前記支持部材に全て巻き取られた場合に前記立体構造物とデザイン上の連続性を有する第２の図柄を有する支持部材カバーをさらに具備する
遮蔽材。
【発明の詳細な説明】
【技術分野】
【０００１】
本発明は、遮蔽材に関する。
【背景技術】
【０００２】
従来から、例えばロールスクリーン、ベネシャンブラインド、プリーツスクリーン、タペストリー等の遮蔽材が知られている。
【０００３】
下記特許文献１には、両端を回転自在に支持された巻取パイプにスクリーンの上端が巻取り及び巻解き可能に連結され、スクリーンの下端のウエイトバーに取り付けられた操作具の操作によってスクリーンを昇降可能としたロールスクリーンが開示されている。当該操作具は、把持部と把持部の上端に取り付けられた可撓性の環状部を有し、ウエイトバーに設けられた貫通孔に環状部を挿通し、導出された環状部に把持部を通過させることによってウエイトバーに取り付けられており、操作具として携帯機器用ストラップが適用されることが示されている。
【０００４】
当該特許文献１に記載のロールスクリーンは、ウエイトバーへの操作部の取り付けが自在であり、且つ操作部の交換も容易に行なうことができ、環状部と把持部とを有するものを操作具として使用することにより、低コストでバリエーションを持たせることができるという効果を有する。また、操作具として携帯機器用ストラップが適用された場合、それが汎用品であるため、ユーザの好みに応じたデザイン性を有するものを操作具として利用でき、さらにそれにキャラクターや動物のマスコット等を取付けることも可能である。
【先行技術文献】
【特許文献】
【０００５】
【特許文献１】特開２００６−１２４９４９号公報
【発明の概要】
【発明が解決しようとする課題】
【０００６】
しかしながら、上記特許文献１に記載の発明では、操作具としてデザイン性を有するものを取付けることは可能であるものの、遮蔽材としてのロールスクリーン全体の美観を向上させるほどの効果を期待できるものではなかった。
【０００７】
以上のような事情に鑑み、本発明の目的は、遮蔽材の全体としての美観を向上させることが可能な遮蔽材を提供することにある。
【課題を解決するための手段】
【０００８】
上記目的を達成するため、本発明の一形態に係る遮蔽材は、支持部材と、遮蔽材本体と、立体構造物とを有する。上記支持部材は、所定面に設置可能である。上記遮蔽材本体は、一端が上記支持部材に支持され、表面に第１の図柄を有する平面状  のものである。上記立体構造物は、上記遮蔽材本体の他端に、上記第１の図柄とデザイン上の連続性を有するように設けられる。
【０００９】
この構成により遮蔽材は、本体の図柄と立体構造物とがデザイン上の連続性を有するため、遮蔽材の全体としての美観を向上させることができる。また、平面状の本体から立体構造物がデザイン上の連続性を持って設けられているため、平面状の図柄に擬似的な立体感が与えられ、特に子供等の興趣を喚起することができる。ここで遮蔽材とは、例えばロールスクリーン、ベネシャンブラインド、プリーツスクリーン、ローマンシェード等の上記支持部材に対する昇降機能を有するものほか、タペストリー等の昇降しないものも含む。
【００１０】
上記立体構造物は長尺状であってもよい。
【００１１】
これにより、立体構造物を手で掴みやすい形状とすることで、子供等の興趣をさらに喚起することができる。
【００１２】
上記遮蔽材本体は上記支持部材から昇降可能に支持されてもよく、この場合上記立体構造物は、上記遮蔽材本体を昇降させることが可能な操作具であってもよい。
【００１３】
これにより、操作具が操作対象の遮蔽材本体とデザイン上の連続性を有することで、操作時の興趣の向上を図ることができる。
【００１４】
上記第１の図柄は動物柄であってもよく、この場合上記立体構造物は上記動物柄で表現された動物の一部を模した形状及び模様を有していてもよい。
【００１５】
これにより立体構造物が動物柄と相俟って動物全体を表現することで、美感をさらに向上させ、また興趣の向上を図ることができる。ここで立体構造物は例えば動物の尻尾を模した形状及び模様とされてもよい。
【００１６】
上記遮蔽材本体は、上記支持部材によって巻取り及び巻解き可能であって、上記他端にウエイトバーを有するスクリーンであってもよく、この場合上記立体構造体は、上記ウエイトバーから吊下されてもよい。
【００１７】
これにより、ウエイトバーから操作具としての立体構造物が吊下されることで、立体構造物の取付性を向上させることができる。
【００１８】
上記遮蔽材本体は、上記支持部材によって巻取り及び巻解き可能であってもよい。この場合上記立体構造物は、上記第１の図柄のうち上記他端側に描かれた一部と共に、上記第１の図柄で表現される物の一要素を構成し、上記遮蔽材本体が上記支持部材に全て巻き取られた場合に、上記一部を含む上記第１の図柄は視認不可能となり、上記立体構造物は上記支持部材で係止されてもよい。
【００１９】
これにより立体構造物と図柄の一部とが図柄で表現された物の一要素を構成することで、デザイン性及び立体感を向上させることができる。例えば、図柄が動物柄である場合、動物の尻尾の一部分が図柄に含まれており、尻尾のその他の部分が立体構造物として構成されてもよい。
【００２０】
上記立体構造物は、上記ウエイトバーを被覆するように当該ウエイトバー係合可能な可撓性の係合部を有してもよい。
【００２１】
これにより立体構造物がウエイトバーに容易に取り付け可能となるとともに、ウエイトバーを覆い隠すことで上記図柄とのデザイン上の連続性を確保することができる。
【００２２】
上記ウエイトバーは、上記立体構造物と上記デザイン上の連続性を有する上記第１の図柄の一部を有してもよい。
【００２３】
これによりウエイトバーにも図柄が描かれることで、デザイン上の連続性を確保することができる。
【００２４】
上記遮蔽材本体は、上記支持部材によって巻取り及び巻解き可能であってもよく、この場合当該遮蔽材は、上記支持部材を覆うように設けられ、上記遮蔽材本体が上記支持部材に全て巻き取られた場合に上記立体構造物とデザイン上の連続性を有する第２の図柄を有する支持部材カバーをさらに有してもよい。
【００２５】
これにより、遮蔽材本体が全て巻き取られた場合でも全体としての美観及び興趣の向上を図ることができる。
【発明の効果】
【００２６】
以上説明したように、本発明によれば、遮蔽材の全体としての美観を向上させることができる。しかし、当該効果は本発明を限定するものではない。
【図面の簡単な説明】
【００２７】
【図１】本発明の第１の実施形態に係るロールスクリーンの正面図である。
【図２】本発明の第１の実施形態に係るロールスクリーンの右側面図である。
【図３】図１におけるＡ−Ａ部分の断面を示す図である。
【図４】図３における取付具の底面側斜視図である。
【図５】図１においてスクリーンが上限まで巻き上げられた状態を示した図である。
【図６】図３においてスクリーンが上限まで巻き上げられた状態を示した図である。
【図７】本発明の第２の実施形態に係るロールスクリーンの右側面図である。
【図８】図７における操作具とウエイトバーの取付部分の断面を示す図である。
【図９】図８における操作具のウエイトバーへの取付状態を示す図である。
【図１０】本発明の第３の実施形態に係るロールスクリーンの正面図である。
【図１１】図１０においてスクリーンが上限まで巻き上げられた状態を示した図である。
【図１２】図１１のＢ−Ｂ部分の断面を示す図である。
【図１３】本発明の他の実施形態を示した正面図である。
【図１４】本発明の他の実施形態を示した正面図である。
【発明を実施するための形態】
【００２８】
以下、図面を参照しながら、本発明の実施形態を説明する。
【００２９】
＜第１の実施形態＞
まず、本発明の第１の実施形態について説明する。
【００３０】
［ロールスクリーンの構成］
図１は、本発明の第１の実施形態に係るロールスクリーンの正面図である。また図２は、当該ロールスクリーンの右側面図である。また図３は、図１におけるＡ−Ａ部分の断面を示す図である。
【００３１】
これらの図に示すように、本実施形態に係るロールスクリーン１００は、支持部材１と、遮蔽材としてのスクリーン２と、立体構造物としての操作具３とを有する。
【００３２】
支持部材１は、スクリーン２を図１〜図３のＹ方向に昇降可能に支持する。支持部材１は、セットフレーム１１を有する。当該セットフレーム１１が、ブラケット１８を介して窓枠や壁等の所定面にネジ等により固定されることで支持部材１が設置される。セットフレーム１１の両側面には、一対のサイドプレート１２が取り付けられている。
【００３３】
セットフレーム１１の内部には、一対のサイドプレート１２によって両端を回転可能に支持された巻取パイプ１３が設けられる。上記スクリーン２は、巻取パイプ１３にその一端が連結され、巻取パイプ１３に巻取り及び巻解き可能に吊り下げられている。
【００３４】
図１に示すように、巻取パイプ１３内にはコイルスプリング１４が収容されており、コイルスプリング１４の一端はサイドプレート１２に間接的に固定され、その他端は第１ブレーキ１５を介して巻取パイプ１３に固定される。
【００３５】
巻取パイプ１３がスクリーン２の巻解き方向に回転されると、コイルスプリング１４の他端が巻取パイプ１３と一体に回転して蓄勢され、巻取パイプ１３の巻取方向への回転が許容されるとコイルスプリング１４の蓄勢力によって巻取パイプ１３が巻取方向へと回転し、第１ブレーキ１５によって常時減速されながら、スクリーン２を巻き取る。
【００３６】
また図１に示すように、巻取パイプ１３内には、巻取パイプ１３の回転をコイルスプリング１４の蓄勢力に抗して停止させて、スクリーン２を所望の位置で停止させるストッパー装置１７が設けられる。
【００３７】
さらに、巻取パイプ１３内には、スクリーン２の巻取り最終段階からスクリーン２の巻取速度を減速するための第２ブレーキ１６が設けられる。
【００３８】
スクリーン２の表面２１には、図柄２２が例えば印刷や刺繍等によって施されている。図柄２２は例えば同図に示すような動物柄（キツネザルの柄）であるが、これに限られない。
【００３９】
スクリーン２の下端には、ウエイトバー２３が取り付けられている。スクリーン２の下端は、当該ウエイトバー２３の内部で固定されているが、当該下端がウエイトバー２３を周回して縫製されていてもよい。
【００４０】
ウエイトバー２３は、例えば両端が開口した円筒状の本体を有し、当該両開口端にはウエイトバーキャップ２３ａが設けられる。また図３に示すように、本体の下端にはその軸方向（図１〜図３のＸ方向）に沿ってスリット２３ｃが設けられている。
【００４１】
また当該ウエイトバー２３の表面にも、スクリーン２上の図柄２２の一部２２ａと連続するように、当該図柄２２の一部２３ｂが描かれている。
【００４２】
操作具３は、例えば長尺状に形成され、スクリーン２の昇降操作のために、ウエイトバー２３の下端に取り付けられる。操作具３は、例えば可撓性のある素材からなり、例えばぬいぐるみの尻尾等と同様に化学繊維等の布材で立体的に成型されてもよい。
【００４３】
当該操作具３は、上記スクリーン２の図柄２２とデザイン上の連続性を有するように設けられている。すなわち、操作具３は、上記図柄２２で表現された動物の一部（例えば尻尾）を模した形状及び模様を有しており、図柄２２のうちウエイトバー２３に描かれた一部２３ｂの位置に合致する位置に設けられている。
【００４４】
換言すると、操作具３は、図柄２２で表現されている動物の一要素としての尻尾を、スクリーン２１の下端に描かれた一部２２ａ及びウエイトバー２３に描かれた一部２３ｂと共に構成している。
【００４５】
ここで、スクリーン２の図柄２２は表面２１に描かれているため平面的であるが、それとデザイン上の連続性を有する操作具３が立体構造物であることから、平面状の図柄２２に擬似的な立体感が与えられ、特に子供等の興趣を喚起することができる。
【００４６】
［操作具の構成］
次に、上記操作具３の詳細について説明する。
【００４７】
図２及び図３に示すように、操作具３は、長尺状の把持部３１と、取付具３２とを有する。図３に示すように、取付具３２は、把持部３１の上端に、取付軸３３を介して取り付けられている。
【００４８】
図４は、取付具３２の底面側斜視図である。同図に示すように、取付具３２は、半円筒状の本体３２ａと、当該本体３２ａの底部から突出した突出部３２ｂとを有する。
【００４９】
突出部３２ｂは、ウエイトバー２３の軸方向（同図Ｘ方向）に沿って設けられた溝３２ｃと、突出部３２ｂから本体３２ａの上縁に向かうよう垂直方向（同図Ｙ方向）に設けられた左右一対のスリット３２ｄとを有する。図３に示すように、上記溝３２ｃには、左右一対のスリット３２ｄを利用して上記取付軸３３が挿入され、把持部３１と取付具３２とが結合される。
【００５０】
このように取付具３２が把持部３１に結合された状態で、上記突出部３２ｂが、上記ウエイトバー２３のスリット２３ｃに（ウエイトバーキャップ２３ａが取り外された状態において）挿入され、ウエイトバー２３の上記一部２３ｂの位置まで移動させられることで、操作具３がウエイトバー２３に設置される。
【００５１】
［ロールスクリーンの動作］
次に、以上のように構成されたロールスクリーン１００の動作について説明する。
【００５２】
図５は、図１においてスクリーン２が上限まで巻き上げられた状態を示した図である。また図６は、図３においてスクリーン２が上限まで巻き上げられた状態を示した図である。
【００５３】
両図に示した状態から、ユーザがスクリーン２の下端に取り付けられた操作具３の把持部３１を引っ張り、スクリーン２を巻取パイプ１３から巻き解いていくと、巻取パイプ１３が回転してコイルスプリング１４にバネ反力が蓄勢されつつ、スクリーン２が下降していく。
【００５４】
ユーザが所望の高さまでスクリーン２を下降させた後、ストッパー装置１７を作用させると、コイルスプリング１４の蓄勢力に抗して巻取パイプ１３の回転が阻止され、スクリーン２は停止し、例えば図１〜図３に示したような状態となる。
【００５５】
一方、スクリーン２を上昇させる場合には、ユーザは、操作具３の把持部３１を把持した状態でストッパー装置１７を解除して、コイルスプリング１４の蓄勢力によって巻取パイプ１３を巻取方向へ回転させて、スクリーン２を巻き取っていく。
【００５６】
このとき、第１ブレーキ１５によって巻取パイプ１３の巻取速度は減速される。しかしながら、巻取パイプ１３はスクリーン２を巻き取っていくにしたがって巻径が大きくなるため、巻取りの初期段階から継続的に作動する第１ブレーキ１５だけでは、スクリーン２の巻取りの最終段階においてスクリーン２の巻取速度が速くなってしまい、完全に巻き取ったときにウエイトバー２３による衝撃音や衝撃力が過大になる。そのため、巻取りの最終段階において第２ブレーキ１６が作動するようになっている。
【００５７】
スクリーン２が完全に（上限まで）巻き取られた場合、上記図５及び図６に示すように、スクリーン２上の図柄２２は、その下端の一部２２ａ及びウエイトバー２３上の一部２３ｂも含めて、視認不可能となり、操作具３のみが支持部材１の下端に係止されて露出している。
【００５８】
以上説明したように、本実施形態によれば、ロールスクリーン１００において、スクリーン２上の図柄２２と立体構造物としての操作具３とがデザイン上の連続性を有するため、ロールスクリーン１００の全体としての美観を向上させることができる。また立体構造物が操作具として機能することで、立体構造物に、美感の向上を図る機能と操作具としての機能を併せ持たせることができる。
【００５９】
また、平面状のスクリーン２から操作具３がデザイン上の連続性を持って設けられているため、平面状の図柄２２に擬似的な立体感が与えられ、操作具３がデザイン上のアクセントになることで、ロールスクリーン１００の静止状態のみならず、操作具３によってスクリーン２を昇降する際等に、ユーザの興趣を向上させることができる。
【００６０】
さらに、スクリーン２上に描かれた図柄２２及びそれとデザイン上の連続性を有する操作具３により、ユーザ（居住者等）に心の安らぐ癒しの空間を提供することができる。特に病院等にロールスクリーン１００が設置された場合、患者（例えば小児等）の心のケアをする効果が期待できる。
【００６１】
また、本実施形態のように、スクリーン２に描かれた図柄と操作具３とによって１つのパーツ（例えば動物の尻尾）を構成することで、図柄で表現される物の大きさ、向き、高さ、位置等に制約を受けずに図柄のデザインを自由に表現することができる。
【００６２】
＜第２の実施形態＞
次に、本発明の第２の実施形態について説明する。本実施形態及びこれ以降の実施形態において、上記第１の実施形態と同様の構成及び機能を有する箇所については同一の符号を付し、説明を省略または簡略化する。
【００６３】
上述の第１の実施形態では、ウエイトバー２３のうち、スクリーン２の表面２１と操作具３との間に位置する一部２３ｂにも図柄が描かれることで、スクリーン２と操作具３との間のデザイン上の連続性が担保されていた。
【００６４】
しかし、本実施形態では、ウエイトバー２３には図柄が描かれない代わりに、操作具３が、ウエイトバー２３を覆う構成とされている。
【００６５】
図７は、本実施形態に係るロールスクリーン１００の右側面図である。図８は、図７における操作具３とウエイトバー２３の取付部分の断面を示す図である。また図９は、図８における操作具３のウエイトバー２３への取付状態を示す図である。
【００６６】
これらの図に示すように、本実施形態では、操作具３は、その上端に、ウエイトバー２３をその径方向周囲で覆う被覆部３４を有する。操作具３とウエイトバー２３との取付構造は上記第１の実施形態と同様に取付具３２により実現される。
【００６７】
図８に示すように、被覆部３４は、ウエイトバー２３の径に沿ったバンド状の構造を有し、被覆部３４の内側に形成された袋状部３４ｂ内に、例えばワイヤ状あるいは板ばね状の可撓性部材３４ａを内蔵している。被覆部３４の表面は把持部３１と同様の素材で構成され、把持部３１と連続的な模様を有する。
【００６８】
当該可撓性部材３４ａにより、被覆部３４は、図９の矢印方向に開閉可能とされている。操作具３がウエイトバー２３に取り付けられる際には、被覆部３４は把持部３１側に開いた状態とされる。操作具３がスクリーン２の図柄２２の一部２２ａに対応する位置まで移動した状態で、被覆部３４が同図矢印方向に閉じられることで、被覆部３４がウエイトバー２３に係合し、ウエイトバー２３のうち、上記図柄２２の一部２２ａに対応する位置を被覆する。
【００６９】
このように本実施形態では、操作具３が被覆部３４を有することで、ウエイトバー２３に図柄が施されなくても、スクリーン２上の図柄２２と操作具３との境界をなくし、両者のデザイン上の連続性を確保することができる。
【００７０】
＜第３の実施形態＞
次に、本発明の第３の実施形態について説明する。
【００７１】
図１０は、本実施形態に係るロールスクリーン１００の正面図である。図１１は、図１０においてスクリーン２が上限まで巻き上げられた状態を示した図である。図１２は、図１１のＢ−Ｂ部分の断面を示す図である。
【００７２】
これらの図に示すように、本実施形態に係るロールスクリーン１００においては、上述の２つの実施形態と異なり、支持部材１に、それを覆う支持部材カバー４０が設けられている。それに伴い、支持部材１の内部構造も上述の２つの実施形態とは異なっている。スクリーン２及び操作具３の構成は上記第１の実施形態と同様である。
【００７３】
これらの図に示すように、支持部材カバー４０は、巻取パイプ１３の前側を主として覆う長尺状の前側カバー４１と、巻取パイプ１３の後側を主として覆う長尺状の後側カバー４２とから構成される。
【００７４】
図１２に示すように、前側カバー４１はその上部に溝部を有しており、該溝部に、支持ブラケット４５が挿入されている。これにより、前側カバー４１は支持ブラケット４５に対して着脱可能に取り付けられる。前側カバー４１は、その上面、前面及び下面が、それぞれ巻取パイプ１３の上側、前側及び下側の一部を覆っている。
【００７５】
巻取パイプ１３は、サイドプレート１２に回転可能に支持されており、サイドプレート１２にはセットフレーム１１が一体的に固定され、セットフレーム１１が、図１２に示した取付用ブラケット４６に着脱可能に取り付けられる。
【００７６】
取付用ブラケット４６は、壁面、窓枠等の取付面Ｃに予め固定された支持ブラケット４５に、ボルト、ビス等によって取り付けられている。支持ブラケット４５は、その取付面取付面Ｃにビス等によって取り付けられている。
【００７７】
取付用ブラケット４６は、公知の任意の構成のものを使用することができるが、図１２に示すように、接離方向に相対的に可動となった一対の挟持爪を有し、該挟持爪の間でセットフレーム１１をその両側から挟み付けるようになっている。当該挟持爪は、セットフレーム１１を挟み付ける方向に付勢されており、挟持爪を付勢方向に抗して移動させることにより、セットフレーム１１の取り外しが可能となる。
【００７８】
図１２に示すように、後側カバー４２は、支持ブラケット４５に対して、取付用ブラケット４７によって着脱可能に取り付けられる。取付用ブラケット４７としては、上記取付用ブラケット４６と同じ共通の部品を使用することができる。取付用ブラケット４７は、支持ブラケット４５に、ボルト、ビス等によって、取付用ブラケット４６と反対側、即ち後側を向いて取り付けられている。
【００７９】
後側カバー４２は、取付用ブラケット４６の挟持爪に挟み付けられることで設置される。後側カバー４２は、その後面、下面及び上面がそれぞれ巻取パイプ１３の後側及び下側と上側の一部を覆っている。
【００８０】
さらに、図１０〜図１２に示すように、前側カバー４１及び後側カバー４２の両側部には、それぞれ、前側サイドキャップ４３と後側サイドキャップ４４とが嵌合されている。
【００８１】
巻取パイプ１２にその一端が巻取り・巻解き可能に取り付けられたスクリーン２は、前側カバー４１の下面と後側カバー４２の下面との間に形成される前後方向の間隙を挿通する。スクリーン２の昇降にあたっては、前側カバー４１と後側カバー４２の間隙を通ってスクリーン２が移動するために、支持部材カバー４０がスクリーン２の昇降の邪魔になることはない。
【００８２】
このように、支持部材カバー４０の前側カバー４１が巻取パイプ１３の前側と上側を覆い、後側カバー４２が巻取パイプ１３の後側を覆い、前側カバー４１と後側カバー４２の両方で巻取パイプ１３の下側を覆うことにより、支持部材カバー４０が巻取パイプ１３を含む支持部材１の周囲をほぼ覆って巻取パイプ１３をほぼ完全に収容することができる。
【００８３】
特に、ロールスクリーン１００が図１２に示したように天井付けで取り付けられ室内の間仕切りとして使用された場合などに、巻取パイプ１３が露出しないために、ロールスクリーン１００の前後から見た意匠を向上させることができる。また、ロールスクリーン１００を吹き抜け部分に取り付けられて、上の階からロールスクリーン１００が見えるという状況においても、ロールスクリーン１００の上側から見た意匠を向上させることができる。
【００８４】
さらに本実施形態において、図１０及び図１１に示すように、前側カバー４１の前面には、図柄５０が描かれている。当該図柄５０は、例えばスクリーン２に描かれた図柄２２と同一の対象（例えば特定の動物）を表現したものである。
【００８５】
具体的には、本実施形態では、図柄５０は、図柄２２で表現された動物を後方（尻側）から見た図を示し、その尻尾の一部５０ｂを含む。
【００８６】
当該一部５０ｂの位置は、上記操作具３が設けられている位置と、スクリーン２の昇降方向（図１０のＹ方向）において一致している。
【００８７】
これにより、図１１に示すように、当該図柄５０は、スクリーン２が上限まで巻き取られた場合において、スクリーン２上の図柄２２（ウエイトバー２３上の一部２３ｂも含まれ得る）とデザイン上の連続性を有している。
【００８８】
このように、本実施形態によれば、支持部材カバー４０にも、操作具３とデザイン上の連続性を有する図柄５０が描かれることで、スクリーン２が全て巻き取られた場合でも、ロールスクリーン１００全体としての美観及び興趣の向上を図ることができる。
【００８９】
＜変形例＞
本発明は上述の実施形態にのみ限定されるものではなく、本発明の要旨を逸脱しない範囲内において種々変更され得る。
【００９０】
上述の実施形態では、ロールスクリーン１００は１台のみ示されたが、複数のロールスクリーン１００が並列して設置されてもよい。図１３は、この場合のロールスクリーン１００の設置例を示した図である。同図に示すように、それぞれスクリーン２上に図柄を有し、かつ、当該図柄とデザイン上の連続性を有する操作具３を有する複数のロールスクリーン１００が、例えば連窓等に横並びで設置されている。図柄はそれぞれ異なる動物を表しており、操作具３は動物の尻尾を模したものもあれば、動物の脚を模したものある。このように、それぞれ図柄を有する複数のロールスクリーン１００が設置されることで、連窓等の設置部分の美観を向上させ、またユーザにさらに癒しの効果を与えることができる。
【００９１】
上述の実施形態では、ロールスクリーン２（または支持部材カバー４０）上の図柄２２として、動物柄が描かれ、操作具３として当該動物の一部（例えば尻尾）を模したものが採用されていたが、図柄２２及び操作具３は動物に関するものに限られない。すなわち、例えば、図１４に示すように、スクリーン２上にクレーン車の図柄２２が描かれ、操作具３として、図柄２２中の、クレーンのアームに吊下げられたワイヤーロープの一部２２ａとデザイン上の連続性を有する、ワイヤーロープ及びフックを模した立体構造物が採用されてもよい。この場合ウエイトバー２３にも上記ワイヤーロープの図柄の一部２３ｂが描かれてもよい。
【００９２】
上述の各実施形態では、スクリーン２の下端に、図柄２２とデザイン上の連続性を有するように設けられた立体構造物は、操作具として機能したが、当該立体構造物は操作具でなくても構わず、単なる装飾品でもよい。この場合、スクリーン２の昇降用の操作具が別途支持部材１等に設けられる。
【００９３】
上述の各実施形態では、ウエイトバー２３の表面にも、スクリーン２上の図柄２２の一部２２ａと連続するように、当該図柄２２の一部が描かれているようにしたが、図柄２２のデザインや大きさによっては、操作具３と上記スクリーン２の図柄２２との間でデザイン上の連続性が保てるため、その場合にはウエイトバー２３に図柄２２の一部を描くことを省略してもよい。
【００９４】
上述の各実施形態では、遮蔽材としてロールスクリーンが適用された例が示された。しかし、遮蔽材はロールスクリーンに限られず、例えばベネシャンブラインド、プリーツスクリーン、ローマンシェード等の上記支持部材１に対する昇降機能を有するものほか、タペストリー等の昇降しないものも同様に本発明に適用され得る。
【符号の説明】
【００９５】
１…支持部材
２…スクリーン
３…操作具
１１…セットフレーム
１２…サイドプレート
１３…巻取パイプ
２２、５０…図柄
２３…ウエイトバー
２３ｃ…スリット
３１…把持部
３２…取付具
３４…被覆部
４０…支持部材カバー
Ｃ…取付面
１００…ロールスクリーン
【図１】
0006408846.tif 000002
【図２】
0006408846.tif 000003
【図３】
0006408846.tif 000004
【図４】
0006408846.tif 000005
【図５】
0006408846.tif 000006
【図６】
0006408846.tif 000007
【図７】
0006408846.tif 000008
【図８】
0006408846.tif 000009
【図９】
0006408846.tif 000010
【図１０】
0006408846.tif 000011
【図１１】
0006408846.tif 000012
【図１２】
0006408846.tif 000013
【図１３】
0006408846.tif 000014
【図１４】
0006408846.tif 000015